(57)【要約】【課題】意匠的に見栄えが良く、組み立てが簡単な引戸装置とその組立方法を提供すること。【解決手段】前扉４を後扉５内に収納可能に構成した収納型引戸装置において、後扉５の上部には、戸先側が後扉の横幅よりもはみ出す突出部９ａを有した上骨９を配設し、前記上骨９には、上面に前扉４の後戸車用ブラケット７ｂの引戸進行方向への移動を許容するスリットＮを設けるとともに、突出部分９ａに前記スリットＮと連通し、前扉４に取り付けた後戸車用ブラケット７ｂを正面から挿入可能とする切欠部分Ｍを形成する。【選択図】図１
2007291627.tif 000002
【特許請求の範囲】
【請求項１】
前扉を後扉内に収納可能に構成した収納型引戸装置において、後扉の上部には、戸先側が後扉の横幅よりもはみ出す突出部を有した上骨を配設し、前記上骨には、上面に前扉の後戸車用ブラケットの引戸進行方向への移動を許容するスリットを設けるとともに、突出部分に前記スリットと連通し、前扉に取り付けられた後戸車用ブラケットを正面から挿入可能とする切欠部分を形成したことを特徴とする引戸装置。
【請求項２】
前扉を後扉内に収納可能に構成した収納型引戸装置の組立方法であって、前扉の上面後部に取り付けた後戸車用ブラケットを後扉上面に配設した上骨の突出部分に設けた切欠部分から組み込み、前記後戸車用ブラケットを切欠部分から後扉上面に設けたスリットに移動させることによって前扉を後扉内に収納するように組み立てることを特徴とする引戸装置の組立方法。
【発明の詳細な説明】
【技術分野】
【０００１】
本発明は、引戸装置及びその組立方法に関し、特に、一方の扉を他方の扉に収納可能に構成した収納型の引戸装置及びその組立方法に関するものである。
【背景技術】
【０００２】
従来、収納型の引戸装置としては、戸袋の幅を縮小し、引戸装置全体の小型化を計ることを目的として、図４に示すように、引戸を前後に区分し、前扉は後方の扉内に収納可能とした収納型引戸装置７０がある（例えば、特許文献１参照）。
【０００３】
この引戸装置７０は、間隔をあけて平行に配置された板材７４、７４の上端及び下端のコーナー部分で連結板７５、７５により連結し、内部に第２扉７２の収納空間を形成した第１扉７１と、第１扉７１と同様に平行に配置された板材７６、７６を連結板７７、７７によって連結した第２扉７２とからなる。なお、第２扉７２は一枚物の板材から構成してもよい。
７３は、連結板７５、７５、７７、７７に取り付けたローラ等の走行体を示し、レール７８内を走行するように構成する。
【０００４】
しかし、上記構成による引戸装置７０は、連結板７５、７７のみによる板材の連結では、板面に対する垂直荷重に対し非常に弱く、外力により容易に変形し、引戸のスムーズな開閉に支障をきたす等の問題があった。
【０００５】
このため、本出願人が先に提案した引戸装置５０がある。この引戸装置５０は、前扉を後扉内に収納可能に構成した収納型引戸装置であって、後扉の上面に受け入れ用切り欠き部を、前扉には両側面上部に進入用切り欠き部を設け、相互に干渉しない位置に戸車を配設するようにしている。
【０００６】
ところで、この引戸装置５０は、後扉５２の一側面を開放し、前扉５１の進入を許容するとともに、組み立て時に後扉５２の前戸車５４ａと前扉５１の後戸車５３ｂが干渉せずに組み込めるように、後扉５２の正面に、後扉５２の高さ全長に亘って切欠部分Ｇを形成し、該切欠部分Ｇと後扉５２の上面に設けた前扉５１の後戸車５３ｂのフランジ部の通過を許容する溝部ｓとを連通し、図５に示すように、前扉５１を、矢符Ｈの方向に進めて後扉５２に組み込み、その後、切欠部分Ｇを扉面となるカバーＣで覆うようにしたものである（例えば、特許文献２参照）。
【０００７】
しかし、この引戸装置では、後扉の正面に後扉の高さ全長に亘って前扉の進入を許容する切欠部分を形成する必要があり、前扉を後扉に組み込んだ後に扉面となるように取り付けるカバーも高さが全長に亘って必要になり取り付け作業が煩雑になるとともに、意匠的にも見栄えの悪い引戸装置となってしまうという問題があった。
【特許文献１】特開２００２−１９４９５６号公報
【特許文献２】特開２００４−２７０３７０号公報
【発明の開示】
【発明が解決しようとする課題】
【０００８】
本発明は、上記従来の引戸装置の有する問題点に鑑み、意匠的に見栄えが良く、組み立てが簡単な引戸装置とその組立方法を提供することを目的とする。
【課題を解決するための手段】
【０００９】
上記目的を達成するため、本発明の引戸装置は、前扉を後扉内に収納可能に構成した収納型引戸装置において、後扉の上部には、戸先側が後扉の横幅よりもはみ出す突出部を有した上骨を配設し、前記上骨には、上面に前扉に取り付けた後戸車用ブラケットの引戸進行方向への移動を許容するスリットを設けるとともに、突出部分に前記スリットと連通し、前扉に取り付けた後戸車用ブラケットを正面から挿入可能とする切欠部分を形成したことを特徴とする。
【００１０】
また、上記引戸装置を使った本発明の引戸装置の組立方法は、前扉を後扉内に収納可能に構成した収納型引戸装置の組立方法であって、前扉の上面後部に取り付けた後戸車用ブラケットを後扉上面に配設した上骨の突出部分に設けた切欠部分から組み込み、前記後戸車用ブラケットを切欠部分から後扉上面に設けたスリットに移動させることによって前扉を後扉内に収納するように組み立てることを特徴とする。
【発明の効果】
【００１１】
本発明の引戸装置とその組立方法によれば、後扉の上部には、戸先側が後扉の横幅よりもはみ出す突出部を有した上骨を配設し、上骨には上面に前扉に取り付けた後戸車用ブラケットの引戸進行方向の移動を許容するスリットを設けるとともに、突出部分に前記スリットと連通し、前扉に取り付けた後戸車用ブラケットを正面から挿入可能とする切欠部分を形成するから、前後の扉に戸車用ブラケットを取り付け、組み立てた後には、前記切欠部分は人目に付かない点検カバー内に位置し、カバーで覆う必要もなく、簡単な組立方法で意匠的にも優れた引戸装置及びその組立方法を提供することができる。
【発明を実施するための最良の形態】
【００１２】
以下、本発明の引戸装置及びその組立方法の実施の形態を、図面に基づいて説明する。なお、従来装置と同様の構造については同一の符号、一連の符号を付し説明を省略する。
【実施例１】
【００１３】
図１〜図３に、本発明の引戸装置の一実施例を示す。図において、ａは、点検窓ラインを、ｂは、方立ラインを示す。
この引戸装置１は、引戸枠部材２と、該枠部材２の一側に形成された戸袋３と、該戸袋３に収納される後扉５と、その後扉５内に収納される前扉４と、前扉４と後扉５に配設する前後の戸車を載置する走行用レール６とより構成される。
そして、後扉５の上面に配設する上骨９は、戸先側が後扉５の横幅よりもはみ出す突出部９ａを有し、上面両端には戸車を回動自在に配設したブラケット８ａ、８ｂを取り付け、その間に前扉４の後戸車用ブラケット７ｂの通過を許容するスリットＮを設ける。そして、突出部９ａ正面にはスリットＮと連通し、前扉４の後戸車用ブラケット７ｂを正面から挿入可能とする切欠部分Ｍを形成するようにしている。
スリットＮの幅は、前扉４の後戸車用ブラケット７ｂが引戸進行方向へ移動することができるように後戸車用ブラケット７ｂの厚みＬ１より若干大きく形成し、その長さは、後扉への前扉の収納長さ及び前後の扉幅より適宜決定される。
切欠部分Ｍの幅は、正面から後戸車用ブラケット７ｂが通過できるように後戸車用ブラケット７ｂの幅Ｌ２より若干大きく構成する。
【００１４】
前扉４と後扉５との連動装置１０は、後扉５の前戸車用ブラケット８ａと後戸車用ブラケット８ｂに回動自在に取り付けた連動プーリ１１ａ、１１ｂに連動条体１２を係回し、連動条体１２の適宜箇所を、固定金具１３で引戸枠部材２に固定する。
そして、前扉４の後戸車用ブラケット７ｂの適所に、接合金具１４によって連動条体１２を固定する。これによって、後扉５は、前扉４の移動距離Ｌに対して半分のＬ／２の距離だけ移動するようになる。
【００１５】
しかして、本発明の引戸装置１の組立方法は、図３に示すように、前扉４、後扉５ともに、戸車を回動自在に取り付けたブラケット７ａ、７ｂ、８ａ、８ｂを配設した状態で、後扉５をレール６に載置する（図３（ａ）参照）。そして、前扉４に取り付けた後戸車用ブラケット７ｂを、後扉５上面に配設した上骨９の突出部９ａに形成した切欠部分Ｍから進入させる（図３（ｃ）〜（ｅ）参照）。
この際、図３（ｅ）に示すように、先に後扉５を、戸袋３内に扉の幅方向長さが半分程度隠れるまで押し込んで、その位置で後扉５を適宜手段で固定した後、前扉４に取り付けた後戸車用ブラケット７ｂを後扉５の切欠部分Ｍに挿入する。なお、ＬＬは開口部分の長さを示す。
そして、この位置で前扉４を若干傾けた状態で持ち上げて前扉４の前後の戸車をレール６上に載置する（図３（ｆ）参照）。
その後、前扉４と後扉５を全閉位置又は全開位置に移動させ、連動装置１０を取り付けてその組み立てを終了する。
【００１６】
また、上記の説明では、後扉５をレール６に載置した状態で組み立てる方法を説明したが、前扉４を後扉５に組み込んだ後に両扉を一緒にレールに載置し、その後、連動装置１０を取り付けるようにしても構わない。
さらに、切欠部分Ｍは、図１に示すように、全閉位置で前扉４の後戸車用ブラケット７ｂが半分程度隠れるような位置に形成するから組み立て後、特に切欠部分Ｍを塞ぐ蓋材は必要ないが、組み立て後にボルト・ビス等の固着手段で前記切欠部分Ｍを蓋材等で覆うようにしても構わない。
【００１７】
以上、本発明の引戸装置及びその組立方法について、実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明の引戸装置及びその組立方法は、上骨の突出部分に設けた切欠部分から前扉に取り付けた後戸車用ブラケットを進入させ、後扉面には切欠部分を設ける必要がないという特性を有していることから、意匠的に優れた引戸装置が求められる建造物に用いることができる他、簡単な組み立て作業で引戸装置を組み立てることが求められる現場においても適用することができる。
【図面の簡単な説明】
【００１９】
【図１】本発明の引戸装置の一実施例を示す一部切り欠きの正面図である。
【図２】図１のＸ−Ｘの一部切り欠きの断面図である。
【図３】本発明の引戸装置の組立方法を示す一部切り欠きの断面図で、（ａ）は、後扉を引戸枠部材に組み込んだところを、（ｂ）は、前扉の状態を、（ｃ）は、（ａ）のＹ−Ｙ断面図を、（ｄ）は、（ｂ）のＺ−Ｚ断面図を、（ｅ）は、前扉を後扉に組み込み始めるところを、（ｆ）は、前扉を後扉の中間まで進入させたところを示す。
【図４】従来の引戸装置を示す一部断面の斜視図である。
【図５】従来の別の引戸装置の組立方法を示す斜視図である。
【符号の説明】
【００２０】
１    引戸装置
２    引戸枠部材
３    戸袋
４    前扉
５    後扉
６    走行用レール
７    戸車用ブラケット
８    戸車用ブラケット
９    上骨
９ａ  突出部
Ｍ    切欠部分
Ｎ    スリット
【図１】
2007291627.tif 000003
【図２】
2007291627.tif 000004
【図３】
2007291627.tif 000005
【図４】
2007291627.tif 000006
【図５】
2007291627.tif 000007